(57)【特許請求の範囲】
【請求項１】
周面にリボンを直接巻き取るリボン巻き取りリールであって、
一方端が軸支され、他方端が解放端となっているリボン巻き取り軸と、
該リボン巻き取り軸に対して周面が平行になるように取り付けられた略半円筒状の第１リール本体と、
該第１リール本体との間に前記リボン巻き取り軸を挟み、周面が前記リボン巻き取り軸に対して平行な状態を保った状態で前記リボン巻き取り軸の法線方向に移動可能に取り付けられた略半円筒状の第２リール本体と、
該第２リール本体を前記リボン巻き取り軸の法線方向に移動させることにより、前記第１リール本体および前記第２リール本体の外周が略円形状になるリボン巻き取り状態と前記第１リール本体および前記第２リール本体の外径が前記リボン巻き取り状態よりも小さくなるリボン抜き取り状態とを切り換える移動手段とを具備することを特徴とするリボン巻き取りリール。
【請求項２】
前記移動手段は、前記リボン巻き取り軸にスライド可能に環装され、前記リボン巻き取り軸の解放端側から延出した操作部を有する筒状の巻き取り軸解除レバーであり、
該巻き取り軸解除レバーをスライドさせることにより、前記リボン巻き取り状態と前記リボン抜き取り状態とが切り換えられることを特徴とする請求項１記載のリボン巻き取りリール。
【請求項３】
前記リボン巻き取り軸の回転を検出するための回転板を具備し、
該回転板は、前記リボン巻き取り状態では、前記リボン巻き取り軸と回転方向において固定され、前記リボン抜き取り状態では、前記リボン巻き取り軸との回転方向における固定が解除されることを特徴とする請求項１又は２記載のリボン巻き取りリール。
【発明の詳細な説明】
【技術分野】
【０００１】
本発明は、インクリボン、紙、フィルム等のシート状物のリボンを巻き取るリボン巻き取りリールに関し、特に紙管等の軸芯を用いることなく周面にリボンを直接巻き取るリボン巻き取りリールに関する。
【背景技術】
【０００２】
紙管等の軸芯を用いることなくリボン巻き取りリールの周面にリボンを直接巻き取る場合には、巻き取ったリボンをリボン巻き取りリールの周面から抜き取るための機構が必要となる。
【０００３】
巻き取ったリボンをリボン巻き取りリールの周面から抜き取るための機構としては、一方の端部間が弾力性を有する第１の接続部材で接続された複数のリール胴体部と、他方の端部間を接続する第２の接続部材とでリボン巻き取りリールを構成し、巻き取ったリボンを抜き取る際には、第２の接続部材を取り外し、第１の接続部材を屈曲又は湾曲させ、複数のリール胴体部における他方の端部を接触させることで、リール胴体部の外径を小さくし、巻き取られたリボンを抜き取るようにした機構が提案されている（例えば、特許文献１参照）。
【０００４】
しかしながら、従来技術では、巻き取られたリボンを抜き取る際に、リール胴体部の外径が幅方向で異なり、特に第１の接続部材で接続された付近では、外径がほとんど小さくならないため、巻き取られたリボンを抜き取りにくいと共に、リール胴体部の外径を小さくするために第２の接続部材を取り外す必要があり、取り外した第２の接続部材の取り扱いを意識しながら巻き取られたリボンの抜き取り作業を行う必要があって煩雑であるという問題点があった。
【０００５】
【特許文献１】特開平０６−１２７０６４号公報
【発明の開示】
【発明が解決しようとする課題】
【０００６】
本発明は斯かる問題点に鑑みてなされたものであり、その目的とするところは、部材を取り外すことなく、幅方向全体の外径を均一に小さくすることができ、巻き取られたリボンの抜き取り作業を簡便に行うことができるリボン巻き取りリールを提供する点にある。
【課題を解決するための手段】
【０００７】
本発明は上記課題を解決すべく、以下に掲げる構成とした。
請求項１記載の発明の要旨は、周面にリボンを直接巻き取るリボン巻き取りリールであって、一方端が軸支され、他方端が解放端となっているリボン巻き取り軸と、該リボン巻き取り軸に対して周面が平行になるように取り付けられた略半円筒状の第１リール本体と、該第１リール本体との間に前記リボン巻き取り軸を挟み、周面が前記リボン巻き取り軸に対して平行な状態を保った状態で前記リボン巻き取り軸の法線方向に移動可能に取り付けられた略半円筒状の第２リール本体と、該第２リール本体を前記リボン巻き取り軸の法線方向に移動させることにより、前記第１リール本体および前記第２リール本体の外周が略円形状になるリボン巻き取り状態と前記第１リール本体および前記第２リール本体の外径が前記リボン巻き取り状態よりも小さくなるリボン抜き取り状態とを切り換える移動手段とを具備することを特徴とするリボン巻き取りリールに存する。
また請求項２記載の発明の要旨は、前記移動手段は、前記リボン巻き取り軸にスライド可能に環装され、前記リボン巻き取り軸の解放端側から延出した操作部を有する筒状の巻き取り軸解除レバーであり、該巻き取り軸解除レバーをスライドさせることにより、前記リボン巻き取り状態と前記リボン抜き取り状態とが切り換えられることを特徴とする請求項１記載のリボン巻き取りリールに存する。
また請求項３記載の発明の要旨は、前記リボン巻き取り軸の回転を検出するための回転板を具備し、該回転板は、前記リボン巻き取り状態では、前記リボン巻き取り軸と回転方向において固定され、前記リボン抜き取り状態では、前記リボン巻き取り軸との回転方向における固定が解除されることを特徴とする請求項１又は２記載のリボン巻き取りリールに存する。
【発明の効果】
【０００８】
本発明のリボン巻き取りリールは、一方端が軸支され、他方端が解放端となっているリボン巻き取り軸と、リボン巻き取り軸に対して周面が平行になるように取り付けられた略半円筒状の第１リール本体と、第１リール本体との間にリボン巻き取り軸を挟み、周面がリボン巻き取り軸に対して平行な状態を保った状態でリボン巻き取り軸の法線方向に移動可能に取り付けられた略半円筒状の第２リール本体とを備え、移動手段によって、第２リール本体をリボン巻き取り軸の法線方向に移動させることにより、第１リール本体および第２リール本体の外周が略円形状になるリボン巻き取り状態と第１リール本体および第２リール本体の外径がリボン巻き取り状態よりも小さくなるリボン抜き取り状態とを切り換え可能に構成することにより、部材を取り外すことなく、リボン巻き取り状態とリボン抜き取り状態とを切り換えることができると共に、リボン抜き取り状態では、第２リール本体を周面がリボン巻き取り軸に対して平行な状態を保った状態でリボン巻き取り軸の法線方向に移動させて、幅方向全体の外径を均一に小さくすることができ、巻き取られたリボンの抜き取り作業を簡便に行うことができるという効果を奏する。
【０００９】
さらに、本発明のリボン巻き取りリールは、移動手段としてリボン巻き取り軸にスライド可能に環装され、リボン巻き取り軸の解放端側から延出した操作部を有する筒状の巻き取り軸解除レバーを備え、巻き取り軸解除レバーをスライドさせることにより、リボン巻き取り状態とリボン抜き取り状態とを切り換え可能に構成することにより、巻き取り軸解除レバーの操作方向と、巻き取られたリボンの抜き取り方向とを一致させることができ、巻き取られたリボンの抜き取り作業を簡便に行うことができるという効果を奏する。
【００１０】
さらに、本発明のリボン巻き取りリールは、リボン巻き取り軸の回転を検出するための回転板を備え、リボン巻き取り状態では、回転板とリボン巻き取り軸とが回転方向において固定され、リボン抜き取り状態では、回転板とリボン巻き取り軸との回転方向における固定が解除されるように構成することにより、例えばプリンタに回転板を用いてリボン巻き取り軸の回転速度を検出する回転検出手段を備え、リボン巻き取り軸の回転速度と回転検出手段によって検出した回転速度とを比較することで、リボン巻き取り状態とリボン抜き取り状態とを認識することができるという効果を奏する。
【発明を実施するための最良の形態】
【００１１】
以下、本発明の実施の形態を図面に基づいて詳細に説明する。
【００１２】
図１は、本発明に係るリボン巻き取りリールの実施の形態の構成を示す分解斜視図である。図２は、本発明に係るリボン巻き取りリールの実施の形態のリボン巻き取り状態を示す斜視図であり、図３は、本発明に係るリボン巻き取りリールの実施の形態のリボン巻き取り状態を示す図であり、（ａ）は、側面図であり、（ｂ）は、（ａ）に示すＸ−Ｘ’断面図である。図４は、本発明に係るリボン巻き取りリールの実施の形態のリボン抜き取り状態を示す斜視図であり、図５は、本発明に係るリボン巻き取りリールの実施の形態のリボン抜き取り状態を示す図であり、（ａ）は、側面図であり、（ｂ）は、（ａ）に示すＸ−Ｘ’断面図である。
【００１３】
本実施の形態のリボン巻き取りリールは、一方端側のみが軸支され、他方端側が解放端となっている所謂片持ちタイプのリールであり、図１を参照すると、一方端が軸支され、他方端が解放端となっており、図示しないモータによって回転駆動されるリボン巻き取り軸１と、リボン巻き取り軸１の回転を検出するための回転板２と、リボン巻き取り軸１に環装される筒状の巻き取り軸解除レバー３と、略半円筒状の第１リール本体４と、略半円筒状の第２リール本体５とからなる。
【００１４】
回転板２は、リボン巻き取り軸１に解放端側から緩装され、リボン巻き取り軸１に取り付けられた留め具１１によって位置決めされている。また、回転板２には、回転を検出するための複数のスリット２１が周期的に形成されていると共に、リボン巻き取り軸１に緩装される内周円の周囲にリボン巻き取り軸１と回転方向において固定するための被係合部２２が形成されている。
【００１５】
巻き取り軸解除レバー３は、リボン巻き取り軸１に解放端側から環装されている。リボン巻き取り軸１には、Ｄカット加工が施されており、リボン巻き取り軸１のＤカット加工部が巻き取り軸解除レバー３の内周面と回転方向において係合するように構成され、巻き取り軸解除レバー３とリボン巻き取り軸１と回転方向において固定される。また、巻き取り軸解除レバー３は、リボン巻き取り軸１の軸方向にスライド可能に環装されるようになっており、巻き取り軸解除レバー３に形成された係合部３１を回転板２の被係合部２２に係合させることにより、リボン巻き取り軸１に回転板２が回転方向において固定され、巻き取り軸解除レバー３に形成された係合部３１と回転板２の被係合部２２との係合を解除させることにより、リボン巻き取り軸１に対する回転板２の回転方向における固定が解除されるようになっている。
【００１６】
第１リール本体４と第２リール本体５とは、図２および図４に示すように、リボン巻き取り軸１に環装された巻き取り軸解除レバー３を挟んでリボン巻き取り軸１に、第１リール本体４と第２リール本体５とのそれぞれの周面がリボン巻き取り軸１との平行になるように取り付けられている。第１リール本体４と第２リール本体５とのリボン巻き取り軸１への取り付けは、巻き取り軸解除レバー３に形成された開口３２と、リボン巻き取り軸１に形成された取り付け穴１２とを介して、ネジ６とバネ保持用ナット７とを固定することによって行われる。また、第２リール本体５とバネ保持用ナット７との間には、バネ８が介装され、第２リール本体５がリボン巻き取り軸１の法線方向に移動可能に取り付けられている。なお、巻き取り軸解除レバー３に形成された開口３２は、巻き取り軸解除レバー３のスライドがネジ６によって妨げられない形状になっている。
【００１７】
図２には、巻き取り軸解除レバー３を回転板２の方向にスライドさせたリボン巻き取り状態が示されている。リボン巻き取り状態では、巻き取り軸解除レバー３に形成された係合部３１が回転板２の被係合部２２に係合され、リボン巻き取り軸１に回転板２が回転方向において固定されると共に、図３（ｂ）に示すように、巻き取り軸解除レバー３に形成された当接部３５と、第２リール本体５の内周に形成された凸部５１とが当接した状態となり、第２リール本体５が第１リール本体４から遠ざかる方向に、バネ８による付勢力に抗して移動され、図３（ａ）に示すように、第１リール本体４および第２リール本体５の外周が略円形状、すなわち第１リール本体４および第２リール本体５が略円筒状になり、リボン巻き取りの周速度が安定し、印字精度が安定する。なお、リボン巻き取り軸１の解放端側から延出している巻き取り軸解除レバー３の操作部３４には、ロック爪が形成されており、リボン巻き取り状態では、操作部３４のロック爪が第１リール本体４の端部に係合されて巻き取り軸解除レバー３のスライドがロックされる。
【００１８】
図２に示すリボン巻き取り状態で、第１リール本体４の外周に設けられたリボン保持用シート４１にリボンの先端部を貼り付け、リボン巻き取り軸１を回転させると、リボン巻き取り軸１と共に、回転板２と、巻き取り軸解除レバー３と、略円筒状の第１リール本体４および第２リール本体５とが一体となって回転し、略円筒状の第１リール本体４および第２リール本体５の外周面にリボンを巻き取ることができる。
【００１９】
リボン巻き取り状態で巻き取ったリボンを解放端側から抜き取る際には、操作部３４のロック爪を解除して巻き取り軸解除レバー３を回転板２から遠ざかる方向にスライドさせ、図４に示すようなリボン抜き取り状態に移行させる。
【００２０】
リボン抜き取り状態では、巻き取り軸解除レバー３に形成された係合部３１と回転板２の被係合部２２との係合が解除されて、リボン巻き取り軸１に対する回転板２の回転方向における固定が解除されると共に、図５（ｂ）に示すように、巻き取り軸解除レバー３に形成された当接部３５と、第２リール本体５の内周に形成された凸部５１との当接が解除された状態となり、バネ８による付勢力によって第２リール本体５がリボン巻き取り軸１との平行を保った状態で、第１リール本体４に近づく方向に移動され、図５（ａ）に示すように、第１リール本体４および第２リール本体５の外径がリボン巻き取り状態よりも小さく、すなわち第１リール本体４および第２リール本体５は、リボン巻き取り状態で略円筒状となる際の断面積よりも小さい断面積を有する略楕円筒状になり、巻き取られたリボンを解放端側から抜き取ることが可能になる。
【００２１】
以上説明したように、本実施の形態によれば、一方端が軸支され、他方端が解放端となっているリボン巻き取り軸１と、リボン巻き取り軸１に対して周面が平行になるように取り付けられた略半円筒状の第１リール本体４と、第１リール本体４との間にリボン巻き取り軸１を挟み、周面がリボン巻き取り軸１に対して平行な状態を保った状態でリボン巻き取り軸１の法線方向に移動可能に取り付けられた略半円筒状の第２リール本体５とを備え、移動手段（巻き取り軸解除レバー３）によって、第２リール本体５をリボン巻き取り軸１の法線方向に移動させることにより、第１リール本体４および第２リール本体５の外周が略円形状になるリボン巻き取り状態と第１リール本体４および第２リール本体５の外径がリボン巻き取り状態よりも小さくなるリボン抜き取り状態とを切り換え可能に構成することにより、部材を取り外すことなく、リボン巻き取り状態とリボン抜き取り状態とを切り換えることができると共に、リボン抜き取り状態では、第２リール本体５を周面がリボン巻き取り軸１に対して平行な状態を保った状態でリボン巻き取り軸１の法線方向に移動させて、幅方向全体の外径を均一に小さくすることができ、巻き取られたリボンの抜き取り作業を簡便に行うことができるという効果を奏する。
【００２２】
さらに、本実施の形態によれば、移動手段としてリボン巻き取り軸１にスライド可能に環装され、リボン巻き取り軸の解放端側から延出した操作部を有する筒状の巻き取り軸解除レバー３を備え、巻き取り軸解除レバー３をスライドさせることにより、リボン巻き取り状態とリボン抜き取り状態とを切り換え可能に構成することにより、巻き取り軸解除レバー３の操作方向と、巻き取られたリボンの抜き取り方向とを一致させることができ、巻き取られたリボンの抜き取り作業を簡便に行うことができるという効果を奏する。
【００２３】
さらに、本実施の形態によれば、リボン巻き取り軸１の回転を検出するための回転板２を備え、リボン巻き取り状態では、回転板２とリボン巻き取り軸１とが回転方向において固定され、リボン抜き取り状態では、回転板２とリボン巻き取り軸１との回転方向における固定が解除されるように構成することにより、例えばプリンタに回転板２を用いてリボン巻き取り軸１の回転速度を検出する回転検出手段を備え、リボン巻き取り軸１の回転速度と回転検出手段によって検出した回転速度とを比較することで、リボン巻き取り状態とリボン抜き取り状態とを認識することができるという効果を奏する。
【００２４】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２５】
【図１】本発明に係るリボン巻き取りリールの実施の形態の構成を示す分解斜視図である。
【図２】本発明に係るリボン巻き取りリールの実施の形態のリボン巻き取り状態を示す斜視図である。
【図３】本発明に係るリボン巻き取りリールの実施の形態のリボン巻き取り状態を示す図であり、（ａ）は、側面図であり、（ｂ）は、（ａ）に示すＸ−Ｘ’断面図である。
【図４】本発明に係るリボン巻き取りリールの実施の形態のリボン抜き取り状態を示す斜視図である。
【図５】本発明に係るリボン巻き取りリールの実施の形態のリボン抜き取り状態を示す図であり、（ａ）は、側面図であり、（ｂ）は、（ａ）に示すＸ−Ｘ’断面図である。
【符号の説明】
【００２６】
１  リボン巻き取り軸
２  回転板
３  巻き取り軸解除レバー（移動手段）
４  第１リール本体
５  第２リール本体
６  ネジ
７  ナット
８  バネ
１１  留め具
１２  取り付け穴
２１  スリット
２２  被係合部
３１  係合部
３２  開口
３４  操作部
３５  当接部
４１  リボン保持用シート
５１  凸部
【図１】
0004632969.tif 000002
【図２】
0004632969.tif 000003
【図３】
0004632969.tif 000004
【図４】
0004632969.tif 000005
【図５】
0004632969.tif 000006